(57)【要約】      （修正有）【課題】冷凍サイクルの冷媒を冷却して液体とするには従来水冷式空冷式の方法があったけれども廃熱は捨てているので、この廃熱の再利用ができる凝縮器の冷凍サイクルを提供する。【解決手段】廃熱を、容器内の水と熱交換することで高温の湯を得る。廃熱の回収と蒸発器からの余熱を容器底部で熱交換して従来使用していた冷媒よりもより低温で凝縮する冷媒の使用を可能とする。さらに室外機と室内機がかなり離れた所に設置していたものを温水として放熱することがてきることで、一体化することができる。もし温水は必要でなければ容器上部にあるフアンモ−タ−で水蒸気として放熱すればよい。【選択図】なし【特許請求の範囲】
【請求項１】
廃熱の再利用が目的です
【請求項２】
蒸発器の廃熱の再利用
【請求項３】
窒素ガスを使うこと
【請求項４】
冷却用布で圧縮機を冷却すること
【請求項５】
放熱は蒸気で
【発明の詳細な説明】
〔使用方法の面から〕
［冷却と温水］
［１］図について
［冷凍］［冷蔵］［冷房］［製氷］などの［冷却機能］と［温水］を同時に製造することを考えたのが  この申請の契機です  従来  冷凍機と言うことばで  総称されるこれらの機械は［冷グル−プ］を使用していれば［温グル−プ］は［捨てられている］この［捨てている熱量の回収］が目的です  ［１］図を機能的に説明したい
（１）上記説明した廃熱の利用  ［温水として回収］
（２）この機能のもう一つに  ▲４▼の冷媒配管（Ｂ）の効果で［容器下部の低温化］によって  ▲３▼の冷媒配管（Ａ）の［出口付近  ▲９▼バルブ（３）付近］の温度を［１度まで］下げることができるだろうから  ［摂氏１度］で凝縮する冷媒の使用を可能とするだろう
（３）［圧縮機］と［凝縮器］および負荷である［蒸発器］の［一体化］がひとつの目的であります  容器のなかに圧縮機  凝縮器を置くのであるから［容器の側に蒸発器を置けば一体化は容易であろう］
（４）もし廃熱の温水が不要であれば［▲１７▼排気フアンで水蒸気としてすてる］  以下は  ［２］図の機能を主体に申し上げる［２］図は［冷暖房機］の［暖房機として使用の場合］として考えたい
（５）冷媒配管［Ｃ］での熱交換が［最重要の目的］であるとはいえ［冷媒配管Ａ］  ［冷媒配管Ｂ］での熱交換もまた熱効率の  面から  無視できないと思います  この申請の特微は［容器の中の冷媒配管Ａ  Ｂ  圧縮機等と水等の熱交換］にあります
（６）九州電力が  販売している［エコキュ−ト］と多少似ている部分があると思います  しかし私はエコキュ−トを見たことがないし「パンフレット」で見る限りでは［大気からの吸熱］という部分で捨てている［熱量の回収］が目的の一つですから  私の考えとは似て非なるものと思います  また［熱効率］という面からニクロム線よりエコキュ−トのほうが良いのは証明ずみと思います
（７）使用冷媒はＣｏ２に限らず  使用目的にあった冷媒が良いので  もっと多くの品種を考えるべきと思います  使用冷媒は［凝縮しないようなものから高温から低温で凝縮するもの］まで冷媒として使用したいとかんがえています  ［１図］では凝縮しない冷媒は考えていない
（８）冷媒として［窒素］利用することについて冷媒として窒素が利用できるかということは窒素の凝縮温度はかなりの低温であるから［凝縮させるためにはもう少し工夫が必要であるから］別途申請するとして［凝縮させないで利用する］ことを考えたい［▲１７▼冷却用布］を圧縮機に巻きつけることで圧縮機の過熱を防止したい
（９）青果などのハウス園芸用暖房機について暖房機は重油などを燃焼させるほうが［ニクロム線暖房］より熱効率がよいかもしれない  しかし［窒素ガス］を使えば重油燃焼式に比較しても大きく劣ることはないとおもいます  また［昼と夜の温度差が果実の熟れるのを促進すると］いわれるが  冷房機としても使用できる本機は重油燃焼式より利用価値があると思います
（１０）この申請を要約すれば［室内機］と［室外機］のうち室外機を［バケツにほうり込んだ］ような形の冷凍機を考えています  利点として
▲１▼  小型化が可能となる
▲２▼  熱効率がよくなる
▲３▼  室外機  室内機の一体化が可能となる
▲４▼  冷媒の使用範囲が広がる［工夫すれば零下１００度以下も可能であろうと思います］
▲５▼  ［冷房］と［給湯］というような組合せで廃熱の回収を目的とするが熱効率の改善に役立つだろう
ほかにもあるだろうが省略する
特許請求の範囲について
▲１▼廃熱の再利用を目的としている
この申請の目的というのは  廃熱の再利用にあります  〔圧縮〕〔凝縮〕〔蒸発〕の冷凍サイクルといわれる工程のなかで圧縮  凝縮  における  廃熱の利用が最大の目的である  冷凍  冷蔵  製氷  冷房を  冷グル−プとするが  以下「冷」とする冷グル−プの目的は「冷やすこと」にあるが  現在は廃熱の利用はされてないこの廃熱の利用が目的です  「圧縮機」「凝縮器」で発生する熱量を「温水」として回収すれば「ス−パ−マ−ケット」と「銭湯」「家庭用冷暖房機」と「温水器」というような組合せで回収すれば無駄がないのねではないかと思います  また「圧縮機」「凝縮器」「蒸発器」が一体化というか接近した状態つまり「圧縮機は機械室」「凝縮器は屋上」「蒸発器は店舗内」というように長い配管でつなぐのではないので「配管用のピットを冷やす事はない」
▲２▼蒸発器の帰り熱利用
現在使用されている空調機や冷凍機は真夏には摂氏３０度位で凝縮するガスを使用している  その凝縮温度を「０〜５」度にしたい〔使用冷媒が多くなる〕圧縮機を出たガスは「高温高圧」です  配管は上から下へ螺旋状に配管される蒸発器を出たガスに「水槽の底部を０〜５度に冷却する余熱を持たせれば」「高温部と低温部との熱交換」は０〜５度を可能とするだろう
▲３▼窒素ガスを使うこと
これは使用目的が冷グル−プの場合は除外する  たとえば暖房と温水が欲しい場合  温水のみ  温風のみなどの冷を必要としない場合のみ用いる  温水器としてのみ利用する場合は除くが、冷房などの冷グル−プを利用する場合がある機種については図には書いてないが「冷媒タンク」と「窒素タンク」「切り替えバルブ」等必要となる「窒素ガスの目的は凝縮させないことにある」窒素の凝縮温度はかなり低温であるはずだから「冷やす」ことを目的としない場合において有効ではないかとおもいます
▲４▼冷却用布について
窒素ガスを使用する場合において  湯がいらない場合は冷却水量を少なくして  放熱部分を大きくして使用するのであるがそのさい圧縮機の冷却がてきないので「冷却布を巻きつけて毛管現象」で冷却したい
▲５▼放熱は蒸気で
冷グル−プを使用する場合で温水がいらない場合は「蒸気」として放出する  そうすれは「水冷式」の凝縮器として利用できるだろう
つぎにこの申請の利点と欠点について
〔利点〕
▲１▼  使用目的の反対側「冷グル−プに対する温グル−プ」の廃熱利用を目的に考えはじめたのであるが「温に対する冷」もまた可である
▲２▼  圧縮機と凝縮器を一体化するのてあるから長い配管は要らなくなる  つまり配管ピットを冷却するなどの無駄が要らなくなる配管か短いというのはたとえば  非常によい冷媒にアンモニアがあるが欠点として配管を腐食させるということであるか  短ければ防蝕の〔メッキ  塗裝〕をすることができる  圧縮機も含む
▲３▼  負荷からの帰り管の廃熱利用で０°〜５°ｃ位で凝縮する冷媒の利用が可能となろう〔たとえばメタン  エタン  ｅｔｃ〕
▲４▼  冷媒帰り配管は螺旋状に下から上へ施工するのであるがその配管はＵトラップの役目を果たす
▲５▼  窒素ガスを使えば  凝縮しないで  高温だけを  取り出すことができよう
▲６▼  冷却用布を使うことで  圧縮機の過熱を防止することができよう
▲７▼  もし  冷グル−プをのみを必要として温水は要らないとすれば排気フアンを使い水蒸気として  放熱すればよい
エネルギ−について考えています
地球温暖化ということで  エネルギ−使用量削減は世界中のとくに海岸の０ｍ地帯にとっては  焦眉の急の問題と思います  無駄になっている部分の回収でエネルギ−削減を考えます
［要約書１］
この申請には  ２枚の図面を  つける  使用目的が  冷グル−プであるときは  温グル−プは  補助ではあるがいままで  捨てていた「エネルギ−」を回収できれば「熱効率の向上」が  可能となるであろう  以下その詳細について  図面を説明します「１図」「２図」には  共通項が  あります  容器  圧縮機  「冷媒配管」Ａ  Ｂ  Ｃ  などがあります以下図面の説明をします
［１図］
１図は  冷グル−プが  主目的であります  ただ  冷媒を  凝縮するさいの「廃熱の利用」もまた  目的です
▲１▼  容器
この申請の  目的の  ひとつに  廃熱の利用があります  「廃熱の回収容器」であります  水を入れる「バケツ」のようなものと理解してほしい  図には書いてないが  この「容器」には「給水装置」と「排水装置」を付ける
▲２▼  圧縮機
小さい方の「円筒」て゛ある  吸い込み口〔サクション〕と吐出口〔デリベリ〕がある  吸い込み口  および  吐出口には  〔バルブ〕が必要の場合もあるかもしれない
▲３▼  冷媒配管〔Ａ〕
冷媒は  圧縮機吐出口  冷媒配管〔Ａ，Ｃ，Ｂ〕から圧縮機吸い込み口へと  一巡するのであるが吐出口を出た冷媒は〔高温  高圧〕であるがその〔高温〕との〔熱交換〕を〔湯沸かし〕に利用したい  この配管は〔上から下へ〕のスパイラル状でありますつまり〔高温部ほど上にある〕ので〔対流〕による熱交換は少ないから〔給水は下のほうから行い〕〔温水はもっとも高温部〕より抜き出す
▲４▼  冷媒配管〔Ｂ〕
この冷媒配管は〔冷媒配管Ｃの余熱〕を利用して〔冷媒配管  Ａ〕の〔冷媒を凝縮〕するのを目的とする  だから〔冷媒の流れは下から上へ〕また〔Ｕトラップ〕の役目も果たす  この〔最低温部の冷却水〕は従来の冷媒より〔より低温で凝縮する冷媒の使用も可能となる〕
▲５▼  冷媒配管〔Ｃ〕
この配管は  従来〔この配管〕のために他の部分があったといえるのですが  この申請の方が〔冷却という目的にとってより高性能の冷媒〕が使用可能となる
▲６▼  圧縮機ランナ−
圧縮機の形状や大きさなど申請の対象ではない図面の製図上圧縮機であるというのて書いた
▲７▼  バルブ  （１）
〔▲７▼  ▲８▼  ▲９▼  ▲１０▼〕は〔冷暖房の切り替え〕に使用されている  四方弁と考えてほしい  冷媒配管〔Ｃ〕が冷グル−プ専用である場合必要ないかもしれない  〔圧縮機〕の吐出口につける  バルブです  〔高温  高圧の冷媒ガス〕の吐出口です
▲８▼  バルブ  （２）
バルブ（２）はバルフ（１）と連結している  つまり  冷媒は  バルブ（１）を通過してバルブ（２）に来るわけで〔１図〕においては省略してもよい
▲９▼  バルブ  （３）
このバルブは  凝縮完了のバルブです  これは  冷グル−プ主体の構成ですが〔冷房  暖房〕切り替えタイプの冷房時の場合〔チッソタンク〕をこのバルブ周辺に取りつけたい
▲１０▼  バルブ  （４）
バルブ（４）は  冷媒帰り管である冷媒配管の入口である〔このバルブに帰ってくる冷媒の冷却能力〕によって冷媒配管〔Ａ〕の完全凝縮を  企図したい
▲１１▼  バルブ  （５）
バルブ（５）は  バルブというより〔膨脹弁〕であるといったほうが適当かもしれない  〔キャピラリ−チュウブ〕も含む
▲１２▼  バルブ  （６）
これは  バルブというより  〔接続部］であるというほうが  適当ですが  図面の説明上  バルブとしています
▲１３▼  バルブ  （７）
圧縮機吸い込み口につけるバルブで〔修理〕や〔冷媒注入〕といったときに必要かもしはれない
▲１４▼  冷媒配管〔Ｄ〕
〔バルブ  ▲７▼  ▲８▼〕の間をつなぐ配管で冷グル−プが  主体で  温グル−プを使用しないというばあい  省略できるし〔冷暖房の切り替えバルブ〕のばあい〔切り替え用の四方弁の一部〕となる
▲１５▼  冷媒配管〔Ｅ〕
▲９▼と▲１１▼つまり  〔バルブ（３）と（５）〕の間をつなぐ  パイプであるが  役目としては冷媒配管〔Ｄ〕とおなじく〔四方弁〕とおなじ役目の  弁によって切り替えられる
▲１６▼  冷媒配管〔Ｆ〕
冷媒の帰り管です  また  この配管は〔Ｄ〕  〔Ｆ〕の冷媒配管と同様に四方弁で切り替えられる
▲１７▼  排気フアン
〔∞型〕の部分が２箇所あるがこれは排気フアンです  これは  冷グル−プ主体の構成で  温グル−プは必要ない場合〔水蒸気〕として排気するための〔排気フアン〕です  水蒸気として  捨てます
〔要約書２〕
要約書（２）は  〔２図〕について  書きます  ２図は  暖グル−プを  主目的とする  ［１図］と［２図］は［バルブ］操作によって切り替えられる
▲１▼  容器
［１図］と同じである  ただ  この場合容器を［上部  下部］に  分ければ  ［下部］には［氷］を作ることができる
▲２▼  圧縮機
これも［１図］と同じである
▲３▼  冷媒配管［Ａ］
冷媒配管はバルブによって切り替えるのであるが［１図］とは冷媒の流れる順番が変わる
▲４▼  冷媒配管［Ｂ］
冷媒帰り管である
▲５▼  冷媒配管［Ｃ］
この配管は  ヒ−タ−コイルになるのたが冷媒配管の接続順番が［１図］では［ＡＣＢ］であるが［２図］では［ＣＡＢ］となる
▲６▼  圧縮機ランナ−
１図と同じである
▲７▼  バルブ  （１）
バルブ（１）は  切り替えバルブである  １図ては▲７▼と▲８▼をつないていたが２図では  ▲７▼と▲１１▼をつなぐ  ▲８▼  バルブ  （２）
冷媒配管［Ｃ］で熱交換をしたあと冷媒配管［Ｅ］を介して冷媒配管［Ａ］を通過させるための［切り替えバルブ］である  ▲９▼  バルブ  （３）
［バルブ（２）］を通過した冷媒は冷媒配管［Ａ］を通過後［バルブ（３）］および［バルブ（４）］を介して冷媒配管［Ｂ］へと流れていく
▲１０▼  バルブ  （４）
［切り替えバルブ］であるが  冷媒配管［Ｂ］の入口にあるバルブである
▲１１▼  バルブ  （５）
冷媒配管［Ｃ］の入口であるが冷媒配管［Ｃ］は冷媒配管［Ｃ］と熱交換する方法  （空気  水  等）によって使用形態が変わる
▲１２▼  バルブ  （６）
バルブ（６）は  冷媒配管［Ｃ］の［出口バルブ］である
▲１３▼  バルブ  （７）
バルブ（７）は［圧縮機入口］のバルブです
▲１４▼  冷媒配管［Ｄ］
バルブ（１）バルブ（５）をつなぐ配管です
▲１５▼  冷媒配管［Ｅ］
バルブ（２）とバルブ（６）をつなぐ配管です
▲１６▼  冷媒配管［Ｆ］
バルブ（３）とバルブ（４）をつなぐ配管です
▲１７▼  冷却用布
黄色の部分ですが  圧縮機の加熱予防のためのものです  ［１］図では［圧縮機は水中にあるから］給水機能に故障がなければ  圧縮機の過熱はありえないが［２］図では容器のなかに［圧縮機を水没させるほどの］給水をしない場合もある  この場合の圧縮機の過熱を防ぐのを目的として  います  ［圧縮機に布を巻きつけ毛管現象と蒸発熱によって］［圧縮機の過熱を防ぐ］ための［布］
〔使用方法の面から〕
［冷却と温水］
［１］図について
［冷凍］［冷蔵］［冷房］［製氷］などの［冷却機能］と［温水］を同時に製造することを考えたのが  この申請の契機です  従来  冷凍機と言うことばで  総称されるこれらの機械は［冷グル−プ］を使用していれば［温グル−プ］は［捨てられている］この［捨てている熱量の回収］が目的です  ［１］図を機能的に説明したい
（１）上記説明した廃熱の利用  ［温水として回収］
（２）この機能のもう一つに  ▲４▼の冷媒配管（Ｂ）の効果で［容器下部の低温化］によって  ▲３▼の冷媒配管（Ａ）の［出口付近  ▲９▼バルブ（３）付近］の温度を［１度まで］下げることができるだろうから  ［摂氏１度］で凝縮する冷媒の使用を可能とするだろう
（３）［圧縮機］と［凝縮器］および負荷である［蒸発器］の［一体化］がひとつの目的であります  容器のなかに圧縮機  凝縮器を置くのであるから［容器の側に蒸発器を置けば一体化は容易であろう］
（４）もし廃熱の温水が不要であれば［▲１７▼排気フアンで水蒸気としてすてる］